【手続補正書】
【提出日】平成27年8月27日(2015.8.27)
【手続補正１】
【補正対象書類名】特許請求の範囲
【補正対象項目名】全文
【補正方法】変更
【補正の内容】
【特許請求の範囲】
【請求項１】
画像をキャプチャする方法であって、
画像センサを用いてシーンの画像をキャプチャすることと、
前記画像内の複数の被写体を決定することと、
前記画像内の２つ以上の被写体の各々について被写体スコアを決定することと、を備え、ここにおいて、被写体の被写体スコアを決定することは、
前記キャプチャされた画像内の前記被写体の顔を検出することと、
前記検出された顔に基づいて、顔位置スコアを決定することと、
前記顔位置スコアに少なくとも部分的に基づいて、前記被写体スコアを決定することと、を備え、
前記被写体スコアに少なくとも部分的に基づいて画像スコアを決定することと、
前記画像スコアが閾値を上回る場合、前記画像センサを用いて前記シーンのスナップショット画像をキャプチャし、前記スナップショット画像をデータ記憶装置に記憶することと、
前記画像スコアが閾値を下回る場合、最も優先順位の高いスコアを有する被写体に対してプロンプトを出力することと
を備える方法。
【請求項２】
前記キャプチャされた画像内の顔を検出することと、
名称を前記検出された顔に関連付けるために、前記検出された顔に対して顔認識を実行し、前記名称を含むオーディオプロンプトとして前記プロンプトを出力することと、
をさらに備える、請求項１に記載の方法。
【請求項３】
顔注視スコアに少なくとも部分的に基づいて、前記画像をスコアリングすることをさらに備える、請求項１に記載の方法。
【請求項４】
前記画像を前記スコアリングすることはさらに、顔ブリンクスコアに少なくとも部分的に基づく、請求項１に記載の方法。
【請求項５】
前記画像をスコアリングすることはさらに、顔オブスキュレーションスコアに少なくとも部分的に基づく、請求項１に記載の方法。
【請求項６】
前記顔位置スコアは、前記画像の中心への前記被写体の顔の近接性に基づく、請求項１に記載の方法。
【請求項７】
前記顔位置スコアは、第２の検出された顔への前記被写体の顔の近接性に基づく、請求項１に記載の方法。
【請求項８】
前記画像内の少なくとも２つの被写体のプロンプト可能な画像スコア構成要素を決定することと、
前記少なくとも２つの被写体の前記プロンプト可能な画像スコア構成要素を優先順位付けすることと、
前記優先順位付けされたプロンプト可能な画像スコア構成要素に基づいて前記プロンプトを出力することと、
をさらに備える、請求項１に記載の方法。
【請求項９】
画像をキャプチャするための装置であって、
画像センサと、
前記画像センサに動作可能に結合されたプロセッサと
前記画像センサを用いてシーンの画像をキャプチャするように構成された画像センサ制御モジュールと、
前記キャプチャされた画像内の複数の被写体を検出するように構成された被写体検出モジュールと、
前記キャプチャされた画像内で検出された前記複数の被写体のうちの２つ以上の各々についてスコアを決定するように構成された被写体スコアリングモジュールと、を備え、ここにおいて、被写体スコアを決定することは、
前記キャプチャされた画像内の前記被写体の顔を検出することと、
前記検出された顔に基づいて、顔位置スコアを決定することと、
前記顔位置スコアに少なくとも部分的に基づいて、前記被写体スコアを決定することと、を備え、
前記被写体スコアに少なくとも部分的に基づいて画像スコアを決定するように構成された画像スコアリングモジュールと、
前記画像スコアがあらかじめ決められた画像スコア閾値を上回る場合、前記画像センサを用いてスナップショット画像をキャプチャするように構成されたスナップショットキャプチャモジュールと、
前記画像スコアが前記あらかじめ決められた画像スコア閾値を下回る場合、最も優先順位の高いスコアを有する被写体に対してプロンプトを決定するように構成されたプロンプト決定モジュールと、
前記決定されたプロンプトを出力するように構成されたユーザ対話モジュールと
を備える装置。
【請求項１０】
前記検出された被写体のうちの１つと名称を関連付けるように構成された顔認識モジュールをさらに備え、前記プロンプトはオーディオプロンプトであり、前記プロンプトの出力はまた、前記名称に基づく、請求項９に記載の装置。
【請求項１１】
前記画像をスコアリングすることは、前記被写体の目のキーポイントの分布に基いた顔方向スコアに少なくとも部分的に基づく、請求項９に記載の装置。
【請求項１２】
前記顔位置スコアは、第２の検出された顔への前記被写体の顔の近接性に基づく、請求項９に記載の装置。
【請求項１３】
前記顔方向がさらに、目の瞳孔と前記目の４つの端との距離に基づく、請求項１１に記載の装置。
【請求項１４】
画像キャプチャデバイスであって、
画像センサを用いてシーンの画像をキャプチャするための手段と、
前記画像内の複数の被写体を決定するための手段と、
前記複数の被写体のうちの２つ以上の各々をスコアリングするための手段と、を備え、ここにおいて、前記スコアリングするための手段は、被写体スコアを
前記キャプチャされた画像内の前記被写体の顔を検出することと、
前記検出された顔に基づいて、顔位置スコアを決定することと、
前記顔位置スコアに少なくとも部分的に基づいて、前記被写体スコアを決定することと、によって決定するように構成され、
前記被写体の前記スコアに少なくとも部分的に基づいて前記画像をスコアリングするための手段と、
前記画像スコアが画像スコア閾値を上回る場合、前記画像センサを用いて前記シーンの画像をキャプチャし、前記画像をデータ記憶装置に記憶するための手段と、
前記画像スコアが前記画像スコア閾値を下回る場合、最も優先順位の高いスコアを有する被写体に対してプロンプトを出力するための手段と
を備える画像キャプチャデバイス。
【請求項１５】
前記画像に関連付けられたオーディオをキャプチャするための手段をさらに備え、前記画像スコアはさらに、前記キャプチャされたオーディオに基づく、請求項１４に記載の画像キャプチャデバイス。
【請求項１６】
前記複数の被写体の各々をスコアリングするための前記手段は、顔オブスキュレーションスコアを決定するための手段、顔ブリンクスコアを決定するための手段、または顔注視スコアを決定するための手段を含む、請求項１４に記載の画像キャプチャデバイス。
【請求項１７】
前記画像をスコアリングするための前記手段は、画像安定性スコアを決定するための手段、画像焦点スコアを決定するための手段、画像露光スコアを決定するための手段、または画像オーディオスコアを決定するための手段を含む、請求項１４に記載の画像キャプチャデバイス。
【請求項１８】
命令を記憶した非一時的なコンピュータ読取可能な媒体であって、前記命令は、プロセッサによって実行されると、前記プロセッサに対して、
画像センサを用いてシーンの画像をキャプチャすることと、
前記画像内の複数の被写体を決定することと、
前記複数の被写体のうち２つ以上をスコアリングすることと、ここにおいて、前記画像をスコアリングすることは、顔位置スコアに少なくとも部分的に基づき、
前記被写体の前記スコアに少なくとも部分的に基づいて前記画像をスコアリングすることと、
前記画像スコアが画像スコア閾値を上回る場合、前記画像センサを用いて前記シーンの画像をキャプチャし、前記画像をデータ記憶装置に記憶することと、
前記画像スコアが前記画像スコア閾値を下回る場合、最も優先順位の高いスコアを有する被写体に対してプロンプトを出力することと
からなる方法を実行させる、コンピュータ読取可能な媒体。
【請求項１９】
前記画像をスコアリングすることは、顔オブスキュレーションスコアに少なくとも部分的に基づき、ここにおいて、前記顔オブスキュレーションスコアは、前記顔上で検出されたキーポイントの数に基づく、請求項１８に記載のコンピュータ読取可能な媒体。
【請求項２０】
前記方法はさらに、
前記キャプチャされた画像内の顔を検出することと、
名称を前記検出された顔に関連付けるために、前記検出された顔に対して顔認識を実行することと
を備え、前記プロンプトはオーディオプロンプトであり、前記プロンプトを出力することは、前記名称に基づく、請求項１８に記載のコンピュータ読取可能な媒体。
【請求項２１】
前記オーディオプロンプトは、彼らの位置または表情を調整するために、前記顔に関連付けられる被写体をプロンプトする、請求項２に記載の方法。